(57)【要約】【課題】ワイヤーやロック機構等の特別な防犯装置を電源ケーブル側に設けることなく、電子機器を盗もうとしている犯人に犯行を諦めさせることのできる電子機器の盗難防止装置を提供する。【解決手段】電子機器本体１１内に設けられたバッテリ３０及びブザー２９と、バッテリ３０とブザー２９とを接続する配線の途中に設けられたスイッチ２０とを備えている。また、電子機器本体１１にはインレット１３が、電源ケーブル１７にはコネクタ１４がそれぞれ設けられている。そして、コネクタ１４をインレット１３から取り外したとき、コネクタ１４側に設けられたピン１８Ｃが、スイッチ２０の接点２１Ａ，２２Ａ間から引き抜かれ、接点２１Ａ，２２Ａが互いに接触することにより、バッテリ３０からブザー２９に電流が流れてブザー２９が警告音を発する。【選択図】図２
2014106598.tif 000002
【特許請求の範囲】
【請求項１】
電子機器本体内に設けられたバッテリと、
前記電子機器本体内に設けられ音響を発する音響発生器と、
前記バッテリと前記音響発生器とを接続する配線の途中に設けられたスイッチと、
前記電子機器本体に電力を供給するための電源ケーブルが当該電子機器本体から取り外されたときに、前記スイッチを入りにして前記バッテリと前記音響発生器とを電気的に接続することにより、前記音響発生器から音響を発生させるスイッチ制御部と、を備えたことを特徴とする電子機器の盗難防止装置。
【請求項２】
前記電気機器本体には、前記電源ケーブルの一端部側のコネクタが挿入されるインレットが取り付けられ、
前記スイッチ制御部は、前記コネクタが前記インレットから取り外されたとき、前記スイッチを入りにすることを特徴とする請求項１に記載の電子機器の盗難防止装置。
【請求項３】
前記スイッチは、先端部に電気接点が取り付けられ前記配線に接続された２つの板ばねを有し、
前記スイッチ制御部は、前記コネクトに設けられたピンと、前記電子機器本体に設けられ前記ピンが挿入される貫通穴とを有し、
前記コネクタを前記インレットに取り付けることにより、前記ピンが前記貫通穴を通して前記スイッチの２つの電気接点間に挿入されて前記スイッチを切りとし、
前記コネクタを前記インレットから取り外すことにより、前記ピンが前記スイッチの２つの電気接点間から引き抜かれ、前記２つの電気接点が互い接触して前記スイッチを入りとすることを特徴とする請求項２に記載の電子機器の盗難防止装置。
【請求項４】
前記インレットの端部のうち前記コネクタが挿入される側の端部には、前記スイッチ及び前記スイッチ制御部として開閉式のドア部材が設けられ、
前記コネクタを前記インレットに取り付けたとき、前記ドア部材が開方向へ移動して前記スイッチを切りとし、
前記コネクタを前記インレットから取り外したとき、前記ドア部材が閉方向へ移動して前記スイッチを入りとすることを特徴とする請求項２に記載の電子機器の盗難防止装置。
【請求項５】
前記スイッチ制御部には、前記スイッチが一旦入りとなると、その入り状態を保持する自己保持機構が設けられていることを特徴とする請求項３又は４に記載の電子機器の盗難防止装置。
【請求項６】
前記電源ケーブルとして、前記インレットに交流電力を供給するためのＡＣ電源ケーブル、または、交流を直流に変換するＡＣアダプタを有し変換後の直流電力を前記インレットに供給するためのＤＣ電源ケーブルが用意されていることを特徴とする請求項１〜５のいずれか一項に記載の電子機器の盗難防止装置。
【請求項７】
前記音響発生器として、ブザーを設けたことを特徴とする請求項１〜６のいずれか一項に記載の電子機器の盗難防止装置。
【請求項８】
請求項１〜７のいずれか一項に記載の盗難防止装置を搭載した電子機器。
【発明の詳細な説明】
【技術分野】
【０００１】
本発明は、比較的重量が小さくて持ち運び可能な電子機器の盗難防止装置に関するものである。
【背景技術】
【０００２】
比較的重量が小さくて持ち運び可能な電子機器として、プロジェクタを挙げることができる。近年、プロジェクタは安価になってきており、各会議室毎に１台常設されて、何時でも自由に使用できるのが一般的となっている。この場合、プロジェクタは、会議室の机の上に、または会議室の天井に吊り下げられた状態で設置されている。
【０００３】
そして、プロジェクタが、例えば会議室の机の上に設置されている場合、盗難防止の対策として、ケンジントンロックを有するワイヤーを用いる方法が知られている。すなわち、この方法では、ワイヤーの一端側に設けられたケンジントンロックをプロジェクタのケンジントンロック穴に取り付けるとともに、ワイヤーの他端側を机の脚等に固定することにより、盗難防止が図られている。
【０００４】
また、プロジェクタへ電力を供給する電源コードにロック機構を設けて、プロジェクタの盗難防止を図った方法も知られている。
【０００５】
さらに、電源コードの一側端部に設けられたコネクタが、電子機器本体に取り付けられたインレットから取り外しできないように、コネクタをインレットに固定するロック部を備えた盗難防止装置が提案されている（例えば、特許文献１参照）。
【発明の概要】
【発明が解決しようとする課題】
【０００６】
しかしながら、上記従来の各技術では、ワイヤーを用いた方法では、ワイヤーの一端側をプロジェクタに取り付けたり、他端側を机の脚等に固定したりしなければならず、煩わしく、さらにはワイヤーが邪魔となる。
【０００７】
また、電源コードにロック機構を設けたものや、特許文献１のようにコネクタをインレットに固定するロック部を備えたものでは、ロック機構やロック部を作業者が操作して電源コードをプロジェクタに取り付けなければならず、その取付操作が非常に面倒である。
【０００８】
本発明の課題は、ワイヤーやロック機構等の特別な防犯装置を電源ケーブル側に設けることなく、電子機器を盗もうとしている犯人に犯行を諦めさせることのできる電子機器の盗難防止装置を提供することにある。
【課題を解決するための手段】
【０００９】
上記課題を解決するために、本発明の電子機器の盗難防止装置は、電子機器本体内に設けられたバッテリと、前記電子機器本体内に設けられ音響を発する音響発生器と、前記バッテリと前記音響発生器とを接続する配線の途中に設けられたスイッチと、前記電子機器本体に電力を供給するための電源ケーブルが当該電子機器本体から取り外されたときに、前記スイッチを入りにして前記バッテリと前記音響発生器とを電気的に接続することにより、前記音響発生器から音響を発生させるスイッチ制御部と、を備えたことを特徴とする。
【発明の効果】
【００１０】
本発明によれば、スイッチ制御部は、電源ケーブルが取り外されていないときは、スイッチを切りの状態にしているが、電源ケーブルが取り外されたとき、スイッチを入りの状態にしてバッテリと音響発生器とを電気的に接続させる。これによって、音響発生器から音響が発生し、電子機器を盗もうとしている犯人に動揺を与え、犯行を諦めさせることができる。
【図面の簡単な説明】
【００１１】
【図１】実施例１による盗難防止装置を、電子機器としてのプロジェクタに搭載した一例を示す図である。
【図２】インレットにコネクタが差し込まれたときの図である。
【図３】インレットからコネクタが取り外されたときの図である。
【図４】実施例２による盗難防止装置を、電子機器としてのプロジェクタに搭載した一例を示す図である。
【図５】インレットにコネクタが差し込まれたときの図である。
【図６】インレットからコネクタが取り外されたときの図である。
【図７】ブザーの警告音を容易に止めることができないようにするための自己保持回路を示す図である。
【発明を実施するための形態】
【００１２】
以下、本発明の実施例を図面に従って説明する。
【実施例】
【００１３】
《実施例１》
図１は、実施例１による盗難防止装置を、電子機器としてのプロジェクタに搭載した一例を示している。
【００１４】
プロジェクタ１０はプロジェクタ本体１１を有し、このプロジェクタ本体１１の一側（図の右側）にはレンズ群（図示省略）が収納された鏡筒１２が、他側（図の左側）にはインレット１３がそれぞれ取り付けられている。また、インレット１３に対してコネクタ１４が用意されている。
【００１５】
図２及び図３は、インレット１３及びコネクタ１４とそれらの周辺部を詳細に示した図である。インレット１３には、その端面１３Ａに凹部１３Ｂが形成され、その凹部１３Ｂ内に２つのオス型電極１５，１５が設けられている。図には示してないが、通常、凹部１３Ｂ内には１つのオス型アース電極も設けられている。コネクタ１４には、その端面１４Ａに２つのメス型電極１６，１６が設けられている。図には示してないが、通常、コネクタ１４の端面１４Ａには１つのメス型アース電極も設けられている。
【００１６】
そして、コネクタ１４をインレット１３に装着することにより、インレット１３のオス型電極１５，１５がコネクタ１４のメス型電極１６，１６にそれぞれ嵌合する。オス型アース電極及びメス型アース電極が設けられていれば、オス型アース電極はメス型アース電極に嵌合する。これにより、インレット１３に電気的に接続することができる。図１は、コネクタ１４を矢印Ａ方向に引き抜いて、インレット１３から取り外した様子を示している。
【００１７】
コネクタ１４には電源ケーブル１７の一端側が接続されている。図には示してないが、電源ケーブル１７の他端側には、コンセントやタブレットに差し込み可能なプラグが設けられている。
【００１８】
図２及び図３に示すように、コネクタ１４には、その外側全体を覆うキャップ部材１８が設けられている。ここでは、キャップ部材１８はコネクタ１４に固定され、コネクタ１４から取り外しができないようになっている。キャップ部材１８の突出部（図において、左側の湾曲部）の中央には貫通穴１８Ａが形成され、この貫通穴１８Ａ内に電源ケーブル１７が通されている。なお、図１においては、キャップ部材１８は省略されている。
【００１９】
また、キャップ部材１８の側部（図では下側側部）には下方に突出した凸部１８Ｂが形成され、この凸部１８Ｂの底部にスイッチ制御部としてのピン１８Ｃが設けられている。凸部１８Ｂ及びピン１８Ｃは、キャップ部材１８の本体に一体的に形成されている。なお、少なくともピン１８Ｃは非導電性の材料で形成されている。
【００２０】
一方、インレット１３は、プロジェクタ本体１１の筐体壁１９に取り付けられている。そして、筐体壁１９には、インレット１３の下方の位置に貫通穴１９Ａが形成され、この貫通穴１９Ａ内に、キャップ部材１８に設けられたピン１８Ｃが貫通している。
【００２１】
プロジェクタ本体１１には、筐体壁１９の裏側（つまり、プロジェクタ本体１１の内部）にスイッチ２０が設けられている。スイッチ２０は、導電体（金属）で形成された２枚の板ばね２１，２２と、各板ばね２１，２２の先端部に取り付けられた接点２１Ａ，２２Ａと、各板ばね２１，２２の基部を支持する支持部材２３とを備えている。板ばね２１，２２は、接点２１Ａ，２２Ａが互いに接近するように、つまり、板ばね２１には矢印Ｂ１のような、板ばね２２には矢印Ｂ２のような弾性力がそれぞれ付与されている。
【００２２】
プロジェクタ本体１１の筐体壁１９には、貫通穴１９Ａの裏側にシャッタ２４が設けられている。シャッタ２４は、筐体壁１９の内面に形成されたシャッタ収納部２５の内部に収納され、シャッタ収納部２５内を上下方向に移動自在となっている。シャッタ収納部２５には、筐体壁１９の貫通穴１９Ａに対向して貫通穴２５Ａが形成されている。なお、本実施例では、シャッタ２４やシャッタ収納部２５は自己保持機構を構成している。
【００２３】
また、板ばね２１，２２の基部には配線２６，２７がそれぞれ接続され、これら配線２６，２７は支持部材２３から外部へ引き出されている。そして、配線２６，２７は音響発生回路２８に接続されている。この音響発生回路２８において、音響発生器としてのブザー２９と、バッテリ３０とが直列に接続され、かつ、ブザー２９が配線２７に、バッテリ３０が配線２６にそれぞれ接続されている。音響発生回路２８（つまり、ブザー２９とバッテリ３０）は、プロジェクタ本体１１の内部に設けられている。
【００２４】
次に、本実施例における盗難防止装置の作用について説明する。
【００２５】
コネクタ１４がインレット１３に取り付けられているときは、図２に示すように、コネクタ１４の先端部１４Ｂがインレット１３の凹部１３Ｂに挿入され、インレット１３のオス型電極１５，１５がコネクタ１４のメス型電極１６，１６にそれぞれ嵌合する。これにより、電源ケーブル１７を介してプロジェクタ本体１１に給電することが可能となる。
【００２６】
また、コネクタ１４がインレット１３に取り付けられると、コネクタ１４の外側のキャップ部材１８に設けられたピン１８Ｃが、筐体壁１９の貫通穴１９Ａ及びシャッタ収納部２５の貫通穴２５Ａをそれぞれ貫通して、ピン１８Ｃの先端がスイッチ２０の接点２１Ａ，２２Ａ間に入り込み、接点２１Ａ，２２Ａ間の間隔を押し広げる。これにより、接点２１Ａと接点２２Ａとは非接触となり、かつ、ピン１８Ｃは非導電性の材料で形成されているので、スイッチ２０は電気的に切りの状態となる。
【００２７】
なお、ピン１８Ｃを筐体壁１９の貫通穴１９Ａ及びシャッタ収納部２５の貫通穴２５Ａに貫通させるときは、シャッタ収納部２５内のシャッタ２４は、その自重によりシャッタ収納部２５内の下部に位置している（図３参照）。シャッタ２４がシャッタ収納部２５内の下部に位置していると、ピン１８Ｃを貫通穴１９Ａ，２５Ａに貫通させることができないので、ピン１８Ｃを貫通穴１９Ａ，２５Ａに貫通させるときは、プロジェクタ本体１１の上下を反対にし、プロジェクタ本体１１の底面側を上に、上面側を下にしておく。このようにすれば、シャッタ２４はシャッタ収納部２５内の上部に移動しており、ピン１８Ｃを筐体壁１９の貫通穴１９Ａシャッタ収納部２５の貫通穴２５Ａに容易に貫通させることができる。ピン１８Ｃを接点２１Ａ，２２Ａ間に入れた後は、勿論、プロジェクタ本体１１の上下は元に戻すようにする。
【００２８】
次に、プロジェクタ１０を盗もうとする犯人が、プロジェクタ本体１１のインレット１３からコネクタ１４を取り外そうとして、キャップ部材１８をコネクタ１４と共に図３の矢印Ａ方向へ移動させると、ピン１８Ｃは、スイッチ２０の接点２１Ａ，２２Ａから引き抜かれて、シャッタ収納部２５の貫通穴２５Ａ及び筐体壁１９の貫通穴１９Ａを通り、筐体壁１９の外側に位置する。
【００２９】
そして、ピン１８Ｃがスイッチ２０の接点２１Ａ，２２Ａから引き抜かれると、接点２１Ａと接点２２Ａとが互いに接触し、スイッチ２０を介してバッテリ３０からブザー２９に電流が流れることにより、ブザー２９から警告音が発せられる（ブザー２９が鳴ること）。このとき、ブザー２９から警告音が継続的に発せられ、その警告音を容易に止めることができない。
【００３０】
すなわち、上述したように、筐体壁１９の貫通穴１９Ａの裏側にはシャッタ２４が設けられており、ピン１８Ｃがスイッチ２０の接点２１Ａ，２２Ａから引き抜かれて、ピン１８Ｃを筐体壁１９の外側に位置させると、シャッタ２４は、その自重によりシャッタ収納部２５内を下方に移動し、シャッタ収納部２５内の下部で停止する。これにより、貫通穴１９Ａが塞がれ、ブザー２９が鳴ったことで犯人が慌てて、ピン１８Ｃを元の位置（つまり、スイッチ２０の接点２１Ａ，２２Ａ間）に戻してブザー２９を止めようとしても、ピン１８Ｃを筐体壁１９の貫通穴１９Ａに入れることができないので、ブザー２９の警告音を止めることはできない。
【００３１】
本実施例によれば、キャップ部材１８をコネクタ１４と共に引き抜くと、ブザー２９から直ちに警告音が発せられ、しかも、音響発生回路２８（つまり、ブザー２９とバッテリ３０）がプロジェクタ本体１１の内部に設けられているので、その警告音を容易に止めることはできない。その結果、犯人に動揺を与え、犯行を諦めさせることができる。
【００３２】
また、本実施例では、コネクタの外面にキャップ部材１８を固定する構成であるから、コネクタ１４のメーカ規格品をそのまま使用することができ、コストをあまり掛けずに、電子機器の盗難防止装置を実現することができる。
【００３３】
《実施例２》
図４は実施例２を示している。本実施例では、インレット１３の端部のうちコネクタ１４が挿入される凹部１３Ｂ（図２，図３参照）に、スイッチ及びスイッチ制御部として開閉式のドア部材４１，４２が設けられている。ドア部材４１はインレット１３の上部に、ドア部材４２はインレット１３の下部にそれぞれ開閉自在に設けられている。
【００３４】
図５は、ドア部材４１，４２の詳細構成を示す図である。ドア部材４１は、支軸４３を介してインレット１３の上部に回転自在に設けられ、平板状のドア本体４１Ａと、ドア本体４１Ａの端部（支軸４３に近い側の端部）に設けられたドア付属部４１Ｂとを有している。ドア付属部４１Ｂは、支軸４３の近傍でドア本体４１Ａに対して斜め下方に折り曲げられ、さらに、その折り曲げ部の先端は逆方向に折り曲げられてドア本体４１Ａに平行となっている。図示してないが、ドア部材４１には弾性体が設けられ、この弾性体は、ドア部材４１を支軸４３周りに矢印Ｃ１方向に回転させようとする弾性力を有している。
【００３５】
ドア部材４２は、支軸４４を介してインレット１３の下部に回転自在に設けられ、平板状のドア本体４２Ａと、ドア本体４２Ａの端部（支軸４４に近い側の端部）に設けられたドア付属部４２Ｂとを有している。ドア付属部４２Ｂは、支軸４４の近傍でドア本体４２Ａに対して斜め上方に折り曲げられ、さらに、その折り曲げ部の先端は逆方向に折り曲げられてドア本体４２Ａに平行となっている。図示してないが、ドア部材４２には弾性体が設けられ、この弾性体は、ドア部材４２を支軸４４周りに矢印Ｃ２方向に回転させようとする弾性力を有している。
【００３６】
また、筐体壁１９の裏面には、インレット１３の上方にマイクロスイッチ４５が取り付けられている。このマイクロスイッチ４５からの引き出し線４６，４７は、図２及び図３に示す音響発生回路２８（つまり、バッテリ３０とブザー２９を有する回路）に電気的に接続されている。
【００３７】
次に、本実施例における盗難防止装置の作用について説明する。
【００３８】
コネクタ１４がインレット１３に取り付けられているときは、図５に示すように、コネクタ１４の先端部１４Ｂがインレット１３の凹部１３Ｂに挿入され、インレット１３のオス型電極１５，１５がコネクタ１４のメス型電極１６，１６にそれぞれ嵌合する。これにより、電源ケーブル１７を介してプロジェクタ本体１１に給電することが可能となる。
【００３９】
また、コネクタ１４をインレット１３に取り付けるときは、ドア部材操作ボタン（図示省略）を押して、ドア部材４１，４２を開いて（つまり、図５のような状態）から、コネクタ１４の先端部１４Ｂ（図６参照）をインレット１３の凹部１３Ｂ（図２，図３参照）に挿入する。
【００４０】
そして、コネクタ１４の先端部１４Ｂをインレット１３の凹部１３Ｂに挿入した後、前記操作ボタンを押すのを止めると、ドア部材４１は前記弾性体の弾性力によって支軸４３周りに矢印Ｃ１方向に回転して、ドア本体４１Ａがコネクタ１４の上側面を押圧する。また、前記操作ボタンを押すのを止めると、ドア部材４２も前記弾性体の弾性力によって支軸４４周りに矢印Ｃ２方向に回転して、ドア本体４２Ａがコネクタ１４の下側面を押圧する。
【００４１】
また、図５の状態においては、ドア付属部４１Ｂの先端がマイクロスイッチ４５に接触しておらず、マイクロスイッチ４５は切りの状態となっている。すなわち、ブザー２９から警告音は発せられていない。
【００４２】
次に、プロジェクタ１０を盗もうとする犯人が、プロジェクタ本体１１のインレット１３からコネクタ１４を取り外そうとして、コネクタ１４を図６の矢印Ａ方向へ移動させると、ドア本体４１Ａは、コネクタ１４の上側面への接触が外れ、前記弾性体の弾性力で支軸４３周りに矢印Ｃ１方向に回転する。これにより、ドア付属部４１Ｂの先端がマイクロスイッチ４５に接触して、マイクロスイッチ４５を入りとする。その結果、音響発生回路２８が作動してブザー２９から警告音が発せられる。このとき、ブザー２９から警告音が継続的に発せら、その警告音を容易に止めることができないようになっている。
【００４３】
なお、インレット１３からコネクタ１４を取り外すと、ドア部材４１は、上述したように、支軸４３周りに矢印Ｃ１方向に回転して、ドア付属部４１Ｂの先端がマイクロスイッチ４５に当たり、ドア本体４１Ａはインレット１３の凹部１３Ｂに位置する。また、ドア部材４２は、支軸４４周りに矢印Ｃ２方向に回転して、ドア付属部４２Ｂが筐体壁１９の内面に当たり、ドア本体４２Ａはインレット１３の凹部１３Ｂに位置する。その結果、インレット１３の凹部１３Ｂは、ドア本体４１Ａ，４２Ａによって閉じられる。
【００４４】
図７は、ブザー２９の警告音を容易に止めることができないようにするための自己保持回路（自己保持機構）を示している。この自己保持回路は、マイクロスイッチ４５にリレー４８が並列に接続され、また、マイクロスイッチ４５に復帰スイッチ４９とブザー２９が直列に接続されている。
【００４５】
図７の自己保持回路において、マイクロスイッチ４５が一旦入りになると、リレー４８が入りの状態となり、犯人がコネクタ１４をインレット１３に挿入してブザー２９を止めようとしても、リレー４８を介してブザー２９へ電流が流れ、ブザー２９の警告音を止めることができない。
【００４６】
ブザー２９の警告音を止めるには、復帰スイッチ４９を押せばよいが、この復帰スイッチ４９はプロジェクタ本体１１の外側からは容易に分からない位置に設けられており、犯人が復帰スイッチ４９を確認することは不可能となっている。
【００４７】
本実施例によれば、コネクタ１４をインレット１３から引き抜くと、実施例１の場合と同様、ブザー２９から直ちに警告音が発せられ、その警告音を容易に止めることができないので、犯人に犯行を諦めさせることができる。
【００４８】
また、コネクタ１４をインレット１３から間違って引き抜いた場合、復帰スイッチ４９を押すことにより、ブザー２９からの警告音を容易に止めることができる。
【００４９】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００５０】
例えば、図７に示した自己保持回路は、実施例１に適用することができる。この場合、シャッタ２４とシャッタ収納部２５は不要となる。
【００５１】
また、本発明の盗難防止装置はプロジェクタに限らず、他の電子機器（例えば、パソコン等）にも適用することができる。
【符号の説明】
【００５２】
１０  プロジェクタ（電子機器）
１１  プロジェクタ本体（電子機器本体）
１２  鏡筒
１３  インレット
１４  コネクタ
１５  オス型電極
１６  メス型電極
１７  電源ケーブル
１８  キャップ部材
１８Ｃ  ピン（スイッチ制御部）
１９  筐体壁
１９Ａ  貫通穴
２０  スイッチ
２１，２２  板ばね
２１Ａ，２２Ａ  接点
２３  支持部材
２４  シャッタ（自己保持機構）
２５  シャッタ収納部（自己保持機構）
２５Ａ  貫通穴
２８  音響発生回路
２９  ブザー（音響発生器）
３０  バッテリ
４１，４２  ドア部材
４１Ａ，４２Ａ  ドア本体
４５  マイクロスイッチ（スイッチ及びスイッチ制御部）
４８  リレー（自己保持機構）
４９  復帰スイッチ
【先行技術文献】
【特許文献】
【００５３】
【特許文献１】特開２００５−２３５５７０号公報
【図１】
2014106598.tif 000003
【図２】
2014106598.tif 000004
【図３】
2014106598.tif 000005
【図４】
2014106598.tif 000006
【図５】
2014106598.tif 000007
【図６】
2014106598.tif 000008
【図７】
2014106598.tif 000009